(57)【要約】ホログラフィを利用した光情報再生装置において、参照光のディスク表面反射光の影響を低減し、安定的にデータを再生することが可能な光情報再生装置とその方法を提供する。ホログラムを形成することで記録媒体に記録された情報を、該記録媒体から再生する情報再生装置であって、レーザ光を出射する光出力部と、前記光出力部から出射した前記レーザ光から参照光を生成する光学系と、前記記録媒体に照射された前記参照光によって再生された再生信号光が入射する対物レンズと、前記対物レンズを伝播した前記再生信号光を受光する光検出器と、前記参照光が前記記録媒体を反射することで生じる媒体反射光の、前記光検出器への照射を低減させる媒体反射光低減部と、前記情報再生装置の動作を制御する制御部と、を備える。
2015083246.tif 000002
【特許請求の範囲】
【請求項１】
ホログラムを形成することで記録媒体に記録された情報を、該記録媒体から再生する情報再生装置であって、
レーザ光を出射する光出力部と、
前記光出力部から出射した前記レーザ光から参照光を生成する光学系と、
前記記録媒体に照射された前記参照光によって再生された再生信号光が入射する対物レンズと、
前記対物レンズを伝播した前記再生信号光を受光する光検出器と、
前記参照光が前記記録媒体を反射することで生じる媒体反射光の、前記光検出器への照射を低減させる媒体反射光低減部と、
前記情報再生装置の動作を制御する制御部と、
を備えた情報再生装置。
【請求項２】
請求項１に記載の情報再生装置であって、
前記参照光が前記記録媒体に入射する角度を調整する参照光角度調整部、を備え、
前記参照光角度調整部により前記参照光の入射角度を所定の範囲で調整することで、前記記録媒体に多重記録されたホログラムから情報を再生する、
ことを特徴とする情報再生装置。
【請求項３】
請求項２に記載の情報再生装置であって、
前記媒体反射光低減部は、前記媒体反射光を遮断することを特徴とする光情報再生装置。
【請求項４】
請求項３に記載の情報再生装置であって、
前記対物レンズによって略平行光にされた前記再生信号光が入射するレンズ、を備え、
前記媒体反射光低減部は、前記対物レンズと前記レンズとの光路中に配置されることを特徴とする情報再生装置。
【請求項５】
請求項３に記載の情報再生装置において、
前記媒体反射光低減部は、前記対物レンズを透過した前記媒体反射光が略集光する位置に配置されることを特徴とする情報再生装置。
【請求項６】
請求項４に記載の情報再生装置において、
前記媒体反射光の集光位置は、前記参照光の入射角度に応じて変化し、
前記媒体反射光低減部は、前記所定の範囲で調整される前記参照光の入射角度に応じて集光位置が変化する前記媒体反射光を遮断する大きさであることを特徴とすることを特徴とする情報再生装置。
【請求項７】
請求項４に記載の情報再生装置において、
前記媒体反射光低減部は、前記所定の入射角度の参照光が入射することにより生じた媒体反射光を遮断する大きさであることを特徴とする情報再生装置。
【請求項８】
請求項４に記載の情報再生装置において、
前記媒体反射光低減部の位置を移動させる移動部、を備え、
前記移動部は、前記参照光の入射角度に応じて変化する前記媒体反射光の集光位置に基づいて、前記媒体反射光低減部の位置を移動させることを特徴とする情報再生装置。
【請求項９】
請求項４に記載の情報再生装置において、
前記制御部は、前記参照光の再生時の最適角度からの誤差を角度誤差信号として算出し、前記参照光角度調整部により前記角度誤差信号に基づいて前記参照光の入射角度を調整することを特徴とする情報再生装置。
【請求項１０】
請求項２に記載の情報再生装置において、
前記媒体反射光低減部は、前記媒体反射光の前記光検出器上でのエネルギー密度を検出信号のエネルギー密度以下に低下させることを特徴とする情報再生装置。
【請求項１１】
ホログラムを形成することで記録媒体に記録された情報を、該記録媒体から再生する情報再生方法であって、
レーザ光を出射するステップと、
前記光出力部から出射した前記レーザ光から参照光を生成するステップと、
前記記録媒体に照射された前記参照光によって再生信号光を生成するステップと、
前記再生信号光を受光するステップと、
前記参照光が前記記録媒体を反射することで生じる媒体反射光を低減させるステップと、
を備えた情報再生方法。
【請求項１２】
請求項１１に記載の情報再生方法であって、
前記参照光が前記記録媒体に入射する角度を調整するステップ、を備え、
前記参照光角度を調整するステップにより前記参照光の入射角度を所定の範囲で調整することで、前記記録媒体に多重記録されたホログラムから情報を再生する、
ことを特徴とする情報再生方法。
【請求項１３】
請求項１２に記載の情報再生方法であって、
前記媒体反射光を低減するステップは、前記媒体反射光を遮断することを特徴とする光情報再生方法。
【請求項１４】
請求項１２に記載の情報再生方法において、
前記参照光の再生時の最適角度からの誤差を角度誤差信号として算出し、前記角度誤差信号に基づいて前記参照光の入射角度を調整するステップ、を備えることを特徴とする情報再生方法。
【請求項１５】
請求項１２に記載の情報再生方法において、
前記媒体反射光を低減するステップは、前記媒体反射光のエネルギー密度を検出信号のエネルギー密度以下に低下させることを特徴とする情報再生方法。
【発明の詳細な説明】
【技術分野】
【０００１】
本発明は、ホログラフィを用いて情報を再生する光情報再生装置及び光情報再生方法に関する。
【背景技術】
【０００２】
現在、青紫色半導体レーザを用いたＢｌｕ−ｒａｙ  Ｄｉｓｃ（登録商標）規格により、民生用においても１００ＧＢ程度の記録密度を持つ光ディスクの商品化が可能となっている。今後は、光ディスクにおいても５００ＧＢを超える大容量化が望まれる。しかしながら、このような超高密度を光ディスクで実現するためには、従来の短波長化と対物レンズ高ＮＡ化による高密度化技術とは異なる新しい方式による高密度化技術が必要である。【０００３】
ディスク表面反射光を除去する技術として、たとえば特開２０１０−２５７５号公報（特許文献１）がある。本公報には、「入射光１１がホログラム記録媒体３の表面３ｆで反射した光である反射光１５の方向と再生信号光１４の光軸の方向とのなす角度は、再生信号光１４の広がり角θよりも大きい。このため、反射光１５はピンホールフィルタ５およびレンズ鏡筒８によって遮光されるので、光検出器７へ反射光１５が迷光として入射しない。この結果、再生信号の品質を向上させることができる。」と記載されている。
【先行技術文献】
【特許文献】
【０００４】
【特許文献１】特開２０１０−２５７５号公報
【発明の概要】
【発明が解決しようとする課題】
【０００５】
ところで、ホログラフィを利用した光情報再生装置においては、ディスクからの回折効率が小さいため、参照光のディスク表面反射光の光量がディスクからの再生光量と比較し相対的に大きく、信号品質が低下する或いは各種制御信号の品質が低下する課題がある。特許文献１に記載の技術では、信号光角度と参照光のディスク表面反射光の角度が分離可能であることを前提としており、参照光のディスク表面反射光の角度が信号光の角度成分と重なる場合には効果が無い。【０００６】
本発明は上記問題を鑑みなされたものであり、ホログラフィを利用した光情報再生装置において、参照光のディスク表面反射光の影響を低減し、安定的にデータを再生することが可能な光情報再生装置とその方法を提供することを目的とする。
【課題を解決するための手段】
【０００７】
上記課題は、例えば請求項の範囲に記載の発明により解決される。
【発明の効果】
【０００８】
本発明によれば、ホログラフィックメモリにおいて参照光のディスク表面反射光の影響を低減し、安定的にデータを再生することが可能な光情報記録再生装置とその方法を提供することができる。
【図面の簡単な説明】
【０００９】
【図１】光情報記録再生装置の実施例を表す概略図
【図２】光情報記録再生装置内のピックアップの実施例を表す概略図
【図３】光情報記録再生装置内のピックアップの実施例を表す概略図
【図４】光情報記録再生装置内のピックアップの実施例を表す概略図
【図５】光情報記録再生装置の動作フローの実施例を表す概略図
【図６】信号生成回路及び信号処理回路の動作フローの実施例を表す概略図
【図７】光情報記録再生装置内の信号生成回路の実施例を表す概略図
【図８】光情報記録再生装置内の信号処理回路の実施例を表す概略図
【図９】反射層を有する光情報記録媒体の層構造の実施例を示す概略図
【図１０】光情報記録媒体とブックケースの実施例を表す概略図
【図１１】記録済み及び未記録の領域の箇所と走査時に検出される光量との関係の例を表す概略図
【図１２】光情報記録再生装置におけるブックケース内のブック記録順の例を表す概略図
【図１３】光情報記録再生装置における参照光角度制御信号の例を表す概略図
【図１４】光情報記録再生装置内のピックアップでの遮光フィルタの実施例を表す概略図
【図１５】光情報記録再生装置の参照光角度制御の動作フローの実施例を表す概略図
【図１６】光情報記録再生装置内のピックアップでの遮光フィルタの実施例を表す概略図
【図１７】光情報記録再生装置内のピックアップでの遮光フィルタの実施例を表す概略図
【図１８】光情報記録再生装置内のピックアップの実施例を表す概略図
【図１９】光情報記録再生装置内のピックアップの一部の実施例を表す概略図
【図２０】理想状態における光情報記録再生装置における再生信号のブラッグ選択性カーブと参照光の角度誤差信号（サーボ信号）の例を表す図
【発明を実施するための形態】
【００１０】
以下、本発明の実施例について図面を用いて説明する。
【実施例１】
【００１１】
本発明における第１の実施例について、図１から図１６を用いて説明する。【００１２】
図１はホログラフィを利用してデジタル情報を記録及び／または再生する光情報記録媒体の記録再生装置を示すブロック図である。【００１３】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。【００１４】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。【００１５】
ピックアップ１１は、参照光と信号光を光情報記録媒体１に出射してホログラフィを利用してデジタル情報を記録媒体に記録する役割を果たす。この際、記録する情報信号はコントローラ８９によって信号生成回路８６を介してピックアップ１１内の空間光変調器に送り込まれ、信号光は空間光変調器によって変調される。【００１６】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。【００１７】
光情報記録媒体１に照射する参照光と信号光の照射時間は、ピックアップ１１内のシャッタの開閉時間をコントローラ８９によってシャッタ制御回路８７を介して制御することで調整できる。【００１８】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。【００１９】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。【００２０】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。【００２１】
また、ピックアップ１１、そして、キュア光学系１３は、光情報記録媒体１の半径方向に位置をスライドできる機構が設けられており、アクセス制御回路８１を介して位置制御がおこなわれる。【００２２】
ところで、ホログラフィの角度多重の原理を利用した記録技術は、参照光角度のずれに対する許容誤差が極めて小さくなる傾向がある。【００２３】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。本発明では、後述するようにサーボ制御用の信号を生成するためのホログラムからの再生信号の一部を遮断することにより波長ずれや参照光の多重方向と垂直となる方向の角度ずれへの耐性を向上させる。【００２４】
また、ピックアップ１１、キュア光学系１３、ディスク回転角度検出用光学系１４は、いくつかの光学系構成または全ての光学系構成をひとつに纏めて簡素化しても構わない。【００２５】
図２は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。【００２６】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。【００２７】
空間光変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。【００２８】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。このとき、再生時は波長板３３３により偏光方向を微少に変えることで、通常の再生用の光の成分の他にサーボ用の光の成分を生成する。本図では、p偏光が再生用の光の成分であり、s偏光がサーボ用の光の成分となる。【００２９】
その後、例えばウォーラストンプリズムなどの偏光分離素子３３４により、p偏光とs偏光の多重方向の角度を所望の角度だけ分離する。なお、記録時においては、波長板３３３は偏光方向の変化を与えない角度に設定する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。【００３０】
本明細書では、参照光角度は、例えば図示するように光情報記録媒体に垂直な方向を０度として、アクチュエータ３２０により角度を変えた少なくとも２本以上の参照光が存在する平面内で参照光角度の走査範囲が大きい方向を＋方向、逆方向を−方向と定義する。【００３１】
このように、信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。【００３２】
以降、同じ領域に参照光角度を変えて記録されたホログラムにおいて、１つ１つの参照光角度に対応したホログラムをページと呼び、同領域に角度多重されたページの集合をブックと呼ぶことにする。【００３３】
図３は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。【００３４】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。【００３５】
参照光角度を設定する為のガルバノミラー３１９を制御するためのサーボ制御用の信号は、例えば図に示すようにディスク１の下方の光学系により生成する。レンズ３２６によりホログラムからの再生光を平行光とし、その後、例えばレンズ３２８により収束光とした後、ＰＢＳプリズム３２９によりｐ偏光とｓ偏光を分離し、それぞれの光を光検出器３３０及び３３１で検出する。このとき、遮光フィルタ３２７により図中の下方に進む参照光のディスク１からの表面反射光を遮光する。サーボ制御用の信号としては、例えば光検出器３３０及び３３１で得た信号の差動演算を行うことにより算出する。このとき、光検出器３３０及び３３１で得た信号の最大値及び最小値が同一となるように補正した上で差動演算を行っても構わない。【００３６】
なお、例えば前述の差動演算した制御信号を用いた場合、ディスク上面から入射するs偏光とp偏光の光は、ホログラムを再生するための最適な角度から、わざと互いに逆方向にずらした状態で照射する。また、ガルバノミラー３２４で反射する際には、ホログラムを再生する為に最適な角度となるように例えば、ｓ偏光とｐ偏光の分離角の１／２だけ角度を変える。なお、遮光フィルタは、物理的に光を遮断する開口でも良いし、電気的に遮断と透過を制御する液晶素子を用いても構わない。また、本実施例では、レンズ３２６およびレンズ３２８の２枚のレンズを用いる例を示したがレンズ１枚で実現しても構わない。【００３７】
なお、例えば前述の差動演算した制御信号を用いた場合、ディスク上面から入射するs偏光とp偏光の光は、ホログラムを再生するための最適な角度から、互いに逆方向にずらした状態で照射することになる為、制御信号のゼロクロス点に制御した後に、例えばガルバノミラーのエンコーダを用いて、所定角度だけ例えば、ｓ偏光とｐ偏光の分離角の１／２だけ参照光角度を変化させ最適角度としても構わない。このとき、ガルバノミラー３２４で反射する際には、最適角度の参照光角度を例えば垂直反射する。【００３８】
図４は、ピックアップ１１の別の構成を示した図である。図４において、光源４０１を出射した光ビームはコリメートレンズ４０２を透過し、シャッタ４０３に入射する。シャッタ４０３が開いている時は、光ビームはシャッタ４０３を通過した後、例えば１／２波長板などで構成される光学素子４０４によってｐ偏光とｓ偏光の光量比が所望の比になるように偏光方向を制御された後、ＰＢＳプリズム４０５に入射する。【００３９】
ＰＢＳプリズム４０５を透過した光ビームは、ＰＢＳプリズム４０７を経由して空間光変調器４０８に入射する。空間光変調器４０８によって情報を付加された信号光４０６はＰＢＳプリズム４０７を反射し、所定の入射角度の光ビームのみを通過させるアングルフィルタ４０９を伝播する。その後、信号光ビームは対物レンズ４１０によってホログラム記録媒体１に集光する。【００４０】
一方、ＰＢＳプリズム４０５を反射した光ビームは参照光４１２として働き、偏光方向変換素子４１９によって記録時又は再生時に応じて所定の偏光方向に設定された後、ミラー４１３ならびにミラー４１４を経由してレンズ４１５に入射する。レンズ４１５は参照光４１２を対物レンズ４１０のバックフォーカス面に集光させる役割を果たしており、対物レンズ４１０のバックフォーカス面にて一度集光した参照光は、対物レンズ４１０によって再度、平行光となってホログラム記録媒体１に入射する。このとき、再生時は波長板３３３により偏光方向を微少に変えることで、通常の再生用の光の成分の他にサーボ用の光の成分を生成する。本図では、p偏光が再生用の光の成分であり、s偏光がサーボ用の光の成分となる。その後、例えばウォーラストンプリズムなどの偏光分離素子３３４により、p偏光とs偏光の多重方向の角度を所望の角度だけ分離する。なお、記録時においては、波長板３３３は偏光方向の変化を与えない角度に設定する。【００４１】
ｓ偏光で再生した場合の回折光及びｐ偏光で再生した場合の回折光は、図２０に示すように参照光角度がウォーラストンプリズム等の偏光分離素子の分離角に相当する角度だけずれた位置にピークが現れる。このとき、ｐ偏光およびｓ偏光の回折光の差分を取った信号は図２０下図に示すようにｓ字波形となる。このｓ字波形の信号を参照光の角度誤差信号とすることでガルバノミラー等の参照光角度を変える素子の制御に用いることができる。【００４２】
ここで、対物レンズ４１０又は光学ブロック４２１は、例えば符号４２０に示す方向に駆動可能であり、対物レンズ４１０又は光学ブロック４２１の位置を駆動方向４２０に沿ってずらすことにより、対物レンズ４１０と対物レンズ４１０のバックフォーカス面における集光点の相対位置関係が変化するため、ホログラム記録媒体１に入射する参照光の入射角度を所望の角度に設定することができる。なお、対物レンズ４１０又は光学ブロック４２１を駆動する代わりに、ミラー４１４をアクチュエータにより駆動することで参照光の入射角度を所望の角度に設定しても構わない。【００４３】
このように、信号光と参照光をホログラム記録媒体１において、互いに重ね合うように入射させることで、記録媒体内には干渉縞パターンが形成され、このパターンを記録媒体に書き込むことで情報を記録する。また対物レンズ４１０又は光学ブロック４２１の位置を駆動方向４２０に沿ってずらすことによって、ホログラム記録媒体１に入射する参照光の入射角度を変化させることができるため、角度多重による記録が可能である。【００４４】
記録した情報を再生する場合は、前述したように参照光をホログラム記録媒体１に入射し、ホログラム記録媒体１を透過した光ビームをアクチュエータ４１７によって角度調整可能なガルバノミラー４１６にて反射させることで、その再生用参照光を生成する。この再生用参照光によって再生された再生光は、対物レンズ４１０、アングルフィルタ４０９を伝播する。その後、再生光はＰＢＳプリズム４０７を透過して光検出器４１８に入射し、記録した信号を再生することができる。【００４５】
参照光角度を設定する為のガルバノミラー５１４を制御するためのサーボ制御用の信号は、例えば図に示すようにディスク１の上方の光学系により生成する。レンズ３２６によりホログラムからの再生光を平行光とし、その後、例えばレンズ３２８により収束光とした後、ＰＢＳプリズム３２８によりｐ偏光とｓ偏光を分離し、それぞれの光を光検出器３３０及び３３１で検出する。【００４６】
このとき、遮光フィルタ３２７により図中の上方に進む参照光のディスク１からの表面反射光を遮光する。サーボ制御用の信号としては、例えば光検出器３３０及び３３１で得た信号の差動演算を行うことにより算出する。このとき、光検出器３３０及び３３１で得た信号の最大値及び最小値が同一となるように補正した上で差動演算を行っても構わない。【００４７】
なお、例えば前述の差動演算した制御信号を用いた場合、ディスク下面から入射するs偏光とp偏光の光は、ホログラムを再生するための最適な角度から、わざと互いに逆方向にずらした状態で照射する。また、ガルバノミラー５１６で反射する際には、ホログラムを再生する為に最適な角度となるように角度を変える。なお、本実施例では、レンズ３２６およびレンズ３２８の２枚のレンズを用いる例を示したがレンズ１枚で実現しても構わない。【００４８】
図４で示した光学系は、信号光と参照光を同一の対物レンズに入射させる構成とすることで、図２で示した光学系構成に比して、大幅に小型化できる利点を有する。【００４９】
図５は、光情報記録再生装置１０における記録、再生の動作フローを示したものである。ここでは、特にホログラフィを利用した記録再生に関するフローを説明する。【００５０】
図５（ａ）は、光情報記録再生装置１０に光情報記録媒体１を挿入した後、記録または再生の準備が完了するまでの動作フローを示し、図５（ｂ）は準備完了状態から光情報記録媒体１に情報を記録するまでの動作フロー、図５（ｃ）は準備完了状態から光情報記録媒体１に記録した情報を再生するまでの動作フローを示したものである。【００５１】
図５（ａ）に示すように媒体を挿入すると（５０１）、光情報記録再生装置１０は、例えば挿入された媒体がホログラフィを利用してデジタル情報を記録または再生する媒体であるかどうかディスク判別を行う（５０２）。【００５２】
ディスク判別の結果、ホログラフィを利用してデジタル情報を記録または再生する光情報記録媒体であると判断されると、光情報記録再生装置１０は光情報記録媒体に設けられたコントロールデータを読み出し（５０３）、例えば光情報記録媒体に関する情報や、例えば記録や再生時における各種設定条件に関する情報を取得する。【００５３】
コントロールデータの読み出し後は、コントロールデータに応じた各種調整やピックアップ１１に関わる学習処理（５０４）を行い、光情報記録再生装置１０は、記録または再生の準備が完了する（５０５）。【００５４】
準備完了状態から情報を記録するまでの動作フローは図５（ｂ）に示すように、まず記録するデータを受信して（５１１）、該データに応じた情報をピックアップ１１内の空間光変調器に送り込む。【００５５】
その後、光情報記録媒体に高品質の情報を記録できるように、必要に応じて例えば光源３０１のパワー最適化やシャッタ３０３による露光時間の最適化等の各種記録用学習処理を事前に行う（５１２）。【００５６】
その後、シーク動作（５１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００５７】
その後、キュア光学系１３から出射する光ビームを用いて所定の領域をプリキュアし（５１４）、ピックアップ１１から出射する参照光と信号光を用いてデータを記録する（５１５）。【００５８】
データを記録した後は、キュア光学系１３から出射する光ビームを用いてポストキュアを行う（５１６）。必要に応じてデータをベリファイしても構わない。【００５９】
準備完了状態から記録された情報を再生するまでの動作フローは図５（ｃ）に示すように、まずシーク動作（５２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００６０】
その後、ピックアップ１１から参照光を出射し、光情報記録媒体に記録された情報を読み出し（５２２）、再生データを送信する（５１３）。【００６１】
図６は、記録、再生時のデータ処理フローを示したものであり、図６（ａ）は、入出力制御回路９０において記録データ受信５１１後、空間光変調器３１２上の２次元データに変換するまでの信号生成回路８６での記録データ処理フローを示しており、図６（ｂ）は光検出器３２５で２次元データを検出後、入出力制御回路９０における再生データ送信６２４までの信号処理回路８５での再生データ処理フローを示している。【００６２】
図６（ａ）を用いて記録時のデータ処理について説明する。ユーザデータを受信（６０１）すると、複数のデータ列に分割、再生時エラー検出が行えるように各データ列をＣＲＣ化（６０２）し、オンピクセル数とオフピクセル数をほぼ等しくし、同一パターンの繰り返しを防ぐことを目的にデータ列に擬似乱数データ列を加えるスクランブル（６０３）を施した後、再生時エラー訂正が行えるようにリード・ソロモン符号等の誤り訂正符号化（６０４）を行う。次にこのデータ列をＭ×Ｎの２次元データに変換し、それを１ページデータ分繰返すことで１ページ分の２次元データ（６０５）を構成する。このように構成した２次元データに対して再生時の画像位置検出や画像歪補正での基準となるマーカーを付加（６０６）し、空間光変調器３１２にデータを転送（６０７）する。【００６３】
次に図６（ｂ）を用いて再生時のデータ処理フローについて説明する。光検出器３２５で検出された画像データが信号処理回路８５に転送（６１１）される。この画像データに含まれるマーカーを基準に画像位置を検出（６１２）し、画像の傾き・倍率・ディストーションなどの歪みを補正（６１３）した後、２値化処理（６１４）を行い、マーカーを除去（６１５）することで１ページ分の２次元データを取得（６１６）する。このようにして得られた２次元データを複数のデータ列に変換した後、誤り訂正処理（６１７）を行い、パリティデータ列を取り除く。次にスクランブル解除処理（６１８）を施し、ＣＲＣによる誤り検出処理（６１９）を行ってＣＲＣパリティを削除した後にユーザデータを入出力制御回路９０経由で送信（６２０）する。【００６４】
図７は、光情報記録再生装置１０の信号生成回路８６のブロック図である。【００６５】
出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン７０８を経由し、信号生成回路８６内サブコントローラ７０１に通知される。本通知を受け、サブコントローラ７０１は各信号処理回路を並列に動作させるよう制御用ライン７０８を介して各信号処理回路の制御を行う。【００６６】
まず、メモリ制御回路７０３に、データライン７０９を介して入出力制御回路９０から入力されるユーザデータをメモリ７０２に格納するよう制御する。メモリ７０２に格納したユーザデータがある一定量に達すると、ＣＲＣ演算回路７０４でユーザデータをＣＲＣ化する制御を行う。【００６７】
次に、ＣＲＣ化したデータに、スクランブル回路７０５で擬似乱数データ列を加えるスクランブル化を施し、誤り訂正符号化回路７０６でパリティデータ列を加える誤り訂正符号化する制御を行う。最後にピックアップインターフェース回路７０７にメモリ７０２から誤り訂正符号化したデータを空間光変調器３１２上の２次元データの並び順で読み出させ、再生時に基準となるマーカーを付加した後、ピックアップ１１内の空間光変調器３１２に２次元データを転送する。【００６８】
図８は、光情報記録再生装置１０の信号処理回路８５のブロック図である。【００６９】
コントローラ８９はピックアップ１１内の光検出器３２５が画像データを検出すると、信号処理回路８５にピックアップ１１から入力される１ページ分のデータを再生処理するよう命ずる。コントローラ８９からの処理命令は制御用ライン８１１を経由し、信号処理回路８５内サブコントローラ８０１に通知される。本通知を受け、サブコントローラ８０１は各信号処理回路を並列に動作させるよう制御用ライン８１１を介して各信号処理回路の制御を行う。【００７０】
まず、メモリ制御回路８０３に、データライン８１２を介して、ピックアップ１１からピックアップインターフェース回路８１０を経由して入力される画像データをメモリ８０２に格納するよう制御する。メモリ８０２に格納されたデータがある一定量に達すると、画像位置検出回路８０９でメモリ８０２に格納された画像データ内からマーカーを検出して有効データ範囲を抽出する制御を行う。【００７１】
次に、検出されたマーカーを用いて画像歪み補正回路８０８で、画像の傾き・倍率・ディストーションなどの歪み補正を行い、画像データを期待される２次元データのサイズに変換する制御する。サイズ変換された２次元データを構成する複数ビットの各ビットデータを、２値化回路８０７において“０”、“１”判定する２値化し、メモリ８０２上に再生データの出力の並びでデータを格納する制御を行う。【００７２】
次に、誤り訂正回路８０６で各データ列に含まれる誤りを訂正し、スクランブル解除回路８０５で擬似乱数データ列を加えるスクランブルを解除した後、ＣＲＣ演算回路８０４でメモリ８０２上のユーザデータ内に誤りが含まれない確認を行う。その後、入出力制御回路９０にメモリ８０２からユーザデータを転送する。【００７３】
図９は、反射層を有する光情報記録媒体の層構造を示す図である。（ａ）は光情報記録媒体へ情報を記録している状態を示し、（ｂ）は光情報記録媒体から情報を再生している状態を示している。【００７４】
光情報記録媒体１は、光ピックアップ１１側から、透明カバー層９００、記録層９０２、光吸収/光透過層９０６、光反射層９１０、そして透明保護層９１２と、を備えている。参照光９Ａと信号光９Ｂとの干渉パターンは、記録層９０２に記録される。【００７５】
光吸収／光透過層９０６は、情報記録時には参照光９Ａと信号光９Ｂとを吸収し、情報再生時には参照光を透過するように物性が変換する。例えば、光記録媒体１に電圧を印加することによって光吸収／光透過層９０６の着色、消色状態が変化し、すなわち、情報記録時には光吸収／光透過層９０６は着色状態となって、記録層９０２を通過した参照光９Ａと信号光９Ｂとを吸収し、情報再生時には消色状態になって参照光を透過させる（Ｔ．Ａｎｄｏ  ｅｔ．  ａｌ．  ：  Ｔｅｃｈｎｉｃａｌ  Ｄｉｇｅｓｔ  ＩＳＯＭ（２００６）、  Ｔｈ−ＰＰ−１０）。光吸収／光透過層９０６を通過した参照光１０Ａは光反射層９１０で反射されて再生用参照光９Ｃとなる。【００７６】
また、Ａ．Ｈｉｒｏｔｓｕｎｅ  ｅｔ．  ａｌ．  ：  Ｔｅｃｈｎｉｃａｌ  Ｄｉｇｅｓｔ  ＩＳＯＭ（２００６）、  Ｍｏ−Ｂ−０４に記載された、エレクトロクロミック（ＥＣ）材料としてのＷＯ３を光吸収／光透過層９０６に用いることができる。【００７７】
この材料に電圧を加えることにより可逆的に着色、消色を生じさせ、情報記録時には着色させて光を吸収し、情報再生時には消色させて光を透過させる。【００７８】
図９の構成により光反射層９１０で反射することで再生用参照光９Ｃを生成することが可能なため、再生用参照光光学系が不要となり、ドライブの小型化が可能となる。【００７９】
図１０は、光情報記録媒体とブックケースの実施例を表す概略図を示している。【００８０】
図１０（ａ）に光情報記録媒体の実施例の概略図を示す。光情報記録媒体１中には、例えば同心円状にトラック３が配置されており、このトラック上にブックケース２を記録する。ブックケースは、記録動作中に記録可能な最小単位であり、複数のブックで構成される。例えば図示するようにブックケース間には隙間を設けて配置する。光情報記録媒体中にデータを記録する際は、例えば内周側のトラックからブックケースを時計周りに記録していく。トラック内で最初にブックケースを記録する場合は、例えば光情報記録媒体の回転角度位置を統一して記録を行う。図１０（ａ）中では、０°の直線で各トラックの記録開始位置を示している。【００８１】
図１０（ｂ）にブックケースの実施例の概略図を示す。ブックケース２は、例えば複数のブック４と管理領域５とで構成される。管理領域には、例えば光情報記録媒体に関する情報や、記録や再生を行った光情報記録再生装置に関する情報、記録や再生の各種設定条件、記録や再生時の温度、湿度、日時等の環境情報、物理アドレスや論理アドレスに関する情報、メディアフォーマットの情報、欠陥位置の情報や代替領域の情報等の所謂管理情報が記録され、ユーザデータの記録には使用しない。この管理領域は、例えばブックケース中の最外周側の右端部に配置する。また、再生動作時は、例えばこの管理領域を最初に探索し再生する。【００８２】
管理領域の探索方法について説明する。管理領域は、前述のようにブックケースの端部に記録されているため、記録済み領域と未記録領域の境界を探索すればよい。【００８３】
図１１は、記録済み及び未記録の領域の箇所と走査時に検出される光量との関係の例を表す概略図を示している。【００８４】
図１１（ａ）は、光情報記録媒体における光情報記録媒体における記録済みの領域と未記録の領域とを示す。光情報記録媒体の内周から外周に向かって同心円状に記録済み領域があり、記録済みの領域の最外周は回転角度の途中で記録が終了しているものとする。【００８５】
図１１（ｂ）は、角度多重の方向と垂直な方向に参照光角度をずらした後に半径方向に光量を走査して記録済みの領域の最外周を決定する際に得られる光量について示している。記録済みの領域を走査している場合には、常に閾値よりも大きい光量が検出され、ブックを通過するたびに光量のピークが得られる。記録済み領域の最外周を超えると閾値以下の光量となるため、これを検出し、最後の光量のピークの位置が記録済みの領域の最外周であると判断する。【００８６】
図１１（ｃ）は回転方向に光量を走査して記録済みの領域の終端を決定する際に得られる光量について示している。記録済みの領域を走査している場合には、常に閾値よりも大きい光量が検出され、ブックを通過するたびに光量のピークが得られる。記録済み領域の最外周を超えると閾値以下の光量となるため、これを検出し、最後の光量のピークの位置が記録済みの領域の終端であると判断する。【００８７】
以上の説明によれば、角度多重と垂直な方向に参照光角度をずらして光量を走査することにより、記録済みの領域と未記録の領域との境界を安定的に検出することができ、管理領域の探索が可能となる。【００８８】
図１２は、光情報記録再生装置におけるブックケース内のブック記録順の例を表す概略図を示している。例えばブック記録時は、Ｔｒ１或いはＴｒ２で示されるトラック毎に記録を行い、あるトラックを記録し終わったら次のトラックに移動し記録を行う。トラックは例えばＴｒ１で示される奇数トラックをまず記録し、その後Ｔｒ２で示される偶数トラックを記録する。【００８９】
これは、光情報記録媒体の材料の性質上、記録により記録済みの領域は収縮する傾向があり、近接トラックの収縮の状態を均一化し記録するためである。すなわち、Ｔｒ１を記録した後にＴｒ２を記録することで、Ｔｒ１記録時には内周側及び外周側の近接トラックは共に未収縮の状態で記録でき、Ｔｒ２記録時には内周側及び外周側の近接トラックは共に収縮の状態で記録可能である。本技術は例えばスキップソーティングと呼ばれる。【００９０】
また、トラック内のブック記録時にも、同様の理由で、例えばＬ１で示されるブックを記録した後にＬ２で示されるブックを記録する。Ｌ１を例えばレイヤー１と呼び、Ｌ２を例えばレイヤー２と呼ぶ。本技術は例えばレイヤーレコーディングと呼ばれる。【００９１】
図１３は、光情報記録再生装置１０における参照光角度制御信号の例を表す概略図を示している。【００９２】
図２或いは図３においてディスクからの参照光の表面反射光を遮光する遮光フィルタ３２７が無い場合は、ｓ偏光及びｐ偏光の信号を検出する光検出器上にディスク表面反射光が入射するため、それぞれの光検出器３３０及び３３１の信号が飽和してしまう場合がある。このとき、図１３（ａ）に示すように制御信号は参照光角度の変化に依らず変化が無くなり、参照光角度の制御信号として使用することができない。【００９３】
一方、ディスクからの参照光の表面反射光を遮光する遮光フィルタ３２７がある場合は、遮光フィルタ３２７により表面反射光が除去できる為、図１３（ｂ）に示すように制御信号を取得することが可能となる。【００９４】
図１４は、光情報記録再生装置１０内のピックアップでの遮光フィルタ３２７の実施例を表す概略図を示している。例えば遮光フィルタ３２７は、レンズ３２６により参照光のディスク表面反射光が集光する位置に配置する。参照光のディスク表面反射光は、参照光角度に応じて集光位置が移動する。【００９５】
このとき、遮光フィルタ３２７の大きさ及び位置は、例えば、記録再生に用いる参照光角度の全てにおいて遮光可能なように決定する。また、ディスクの傾き公差や、遮光フィルタの取付公差を見込み、遮光フィルタの大きさを設計しても構わない。公差を見込んで設計することで、ディスクの傾きや遮光フィルタの設計位置から取付誤差等に強いシステムとすることが出来る。【００９６】
図１５は、光情報記録再生装置１０の再生時の参照光角度設定フローの実施例を示す図を示している。【００９７】
まず、１５０１により１ページ目のサーボ制御信号を検出する。１ページ目の判断としては、例えばガルバノミラーを参照光角度が最小の状態から、徐々に参照光角度が大きくなるように変えていき、最初のサーボ制御信号が得られた場合を１ページ目と判断する。【００９８】
その後、１５０２により制御信号のゼロクロス点に参照光角度を制御し、対象ページの再生を行う。このとき、例えば位相共役再生用のミラーはｓ偏光とｐ偏光の角度の平均角度となるように設定する。【００９９】
続いて１５０３により最終ページか否かの判断を行い、最終ページの場合処理を終了する。最終ページでない場合、１５０４により次ページのサーボ制御信号に移動し、１５０２以降の処理を継続する。【０１００】
最終ページか否かの判断は、例えば再生ページ中のヘッダにより最終ページか判断しても良いし、例えば参照光角度を所定量だけ大きくしたい際にサーボ制御信号が得られないことから判断しても構わない。【０１０１】
本実施例の方法では、遮光フィルタ３２７を移動する必要がない為、少ない部品点数で実現できる及びシステムが簡易であるという利点がある。【０１０２】
以降、本実施例と異なる実施形態について説明する。なお、以降の説明において、本実施例と説明が共通する部分は、説明を省略する。
【実施例２】
【０１０３】
本発明における第２の実施例について図１５を用いて説明する。なお、装置構成は実施例１と同様の構成で実現可能であるため、説明を省略する。【０１０４】
図１６は、光情報記録再生装置内のピックアップでの遮光フィルタの実施例を表す概略図を示している。図１４との違いは、遮光フィルタ３２７の大きさ及び位置を、例えば調整用ページを再生する際の参照光角度に対応したディスク表面反射光のみを遮光する大きさ及び位置にした点である。なお、調整用ページは、例えばガルバノミラーや空間フィルタの最適な角度や位置を学習する為に設けられたページである。【０１０５】
また、本実施例中では、調整ページが1ページの例を示したが、複数ページあっても構わない。この場合は、各調整ページを再生する際の参照光角度に対応したディスク表面反射光を遮光するように、遮光フィルタ３２７を設計する。また、ディスクの傾き公差や、遮光フィルタの取付公差を見込み、遮光フィルタの大きさを設計しても構わない。【０１０６】
本実施例の構成では、遮光フィルタの大きさを図１４に示した例よりも縮小化できるため、再生光量の低下を低減することができるという利点がある。
【実施例３】
【０１０７】
本発明における第３の実施例について図１７を用いて説明する。なお、装置構成は実施例１と同様の構成で実現可能であるため、説明を省略する。【０１０８】
図１７は、光情報記録再生装置内のピックアップでの遮光フィルタの実施例を表す概略図を示している。図１７における遮光フィルタは例えば、参照光角度や光情報記録媒体の角度ずれに併せて逐次移動する。移動時は、例えば遮光フィルタの適切な移動量を予め学習等で決めておく、或いは、例えばディスク表面反射光の遮光量を光検出器で検出することで遮光フィルタの位置誤差信号を生成し、遮光フィルタを例えばアクチュエータ３３５で移動する。【０１０９】
なお、記録再生装置の場合は、記録時はページを遮光しない位置にアクチュエータ３３５を位置づけても構わない。記録時及び再生時のページ上の表面反射光の位置は、媒体の膨張収縮や波長ずれの影響等で必ずしも一致しない為、記録時は遮光しない構成を取ることで、無駄な記録容量の低下を防ぐことが出来る。【０１１０】
本実施例の構成では、遮光フィルタの大きさを図１４に示した例よりも縮小化できるため、再生光量の低下を低減することができるという利点がある。
【実施例４】
【０１１１】
本発明における第４の実施例について図１８を用いて説明する。なお、装置構成は実施例１と同様の構成で実現可能であるため、説明を省略する。【０１１２】
図１８は、光情報記録再生装置内のピックアップの実施例を表す概略図を示している。図２あるいは図３との違いは、レンズ３０６とレンズ３１５の間に遮光フィルタ３３２が配置されている点である。また、本実施例の方法では、ディスク１からの図中上方に進む参照光ディスク表面反射光を遮光フィルタ３３２で遮光する。遮光フィルタの大きさ及び位置は実施例１及び実施例２に示した方法と同様に例えば設計する。【０１１３】
本実施例の方法では、光検出器３２５や空間光変調器３１２に入射する参照光ディスク表面反射光を除去できるため、光検出器３２５及び空間光変調記３１２の高寿命化を図れるという利点がある。また、光検出器３２５でディスク表面反射光を検出しないため、再生信号の信号品質を向上可能であるという利点がある。
【実施例５】
【０１１４】
本発明における第５の実施例について図１９を用いて説明する。なお、装置構成は実施例１と同様の構成で実現可能であるため、説明を省略する。【０１１５】
図１９は、光情報記録再生装置内のピックアップの一部の実施例を表す概略図を示している。図中に示していない部品は、図２或いは図３と共通である。ディスク１からの再生信号をレンズ３２６により収束光として、偏光ビームスプリッタ３２９によりｓ偏光及びｐ偏光に分離し、光検出器３３０及び光検出器３３１により集光位置で検出する。このとき、参照光のディスク表面反射光はレンズ３２６により収束光となるが、集光位置を図に示すように光検出器３３０或いは光検出器３３１よりも前方にすることで、光検出器３３０及び光検出器３３１上での参照光のディスク表面反射光のエネルギー密度を例えば検出信号のエネルギー密度よりも下げて、影響を低減する。【０１１６】
本実施例の方法では、遮光フィルタを配置しないため、微弱なホログラムからの再生信号の光量を低下することなく検出できるという利点がある。【０１１７】
なお、本発明は角度多重方式に限定されるものではなく、ディスクからの参照光の表面反射光を遮光するという観点であれば、その他の方式（例えばシフト多重方式等）にも適用できうる。【０１１８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１１９】
たとえば、変形例１として、ホログラムを形成することで記録媒体に記録された情報を、該記録媒体から再生する情報再生装置であって、レーザ光を出射する光出力部と、前記光出力部から出射した前記レーザ光から参照光を生成する光学系と、前記記録媒体に照射された前記参照光によって再生された再生信号光が入射する対物レンズと、前記対物レンズを伝播した前記再生信号光を受光する光検出器と、前記参照光が前記記録媒体を反射することで生じる媒体反射光の、前記光検出器への照射を低減させる媒体反射光低減部と、前記情報再生装置の動作を制御する制御部と、を備えた情報再生装置がある。【０１２０】
また、変形例２として、ホログラフィを利用して光情報記録媒体から情報を再生する光情報記録再生装置において、レーザ光を出射する光出力部と、前記光出力部から出射したレーザから参照光を生成する光学系と、前記参照光の多重方向の角度を調節する多重角度調節部と、前記光情報記録媒体から再生する信号光を略平行光とする対物レンズと、前記信号光を検出する撮像部と、前記参照光が前記光情報記録媒体に照射した際に生じる、反射光の影響を低減する反射光低減部とを備えることを特徴とする光情報再生装置がある。【０１２１】
また、変形例３として、ホログラムを形成することで記録媒体に記録された情報を、該記録媒体から再生する情報再生方法であって、レーザ光を出射するステップと、前記光出力部から出射した前記レーザ光から参照光を生成するステップと、前記記録媒体に照射された前記参照光によって再生信号光を生成するステップと、前記再生信号光を受光するステップと、前記参照光が前記記録媒体を反射することで生じる媒体反射光を低減させるステップと、を備えた情報再生方法がある。【０１２２】
また、変形例４として、ホログラフィを利用して光情報記録媒体から情報を再生する光情報記録再生方法において、レーザ光を出射する光出力工程と、前記光出力工程から出射したレーザから参照光を生成する工程と、前記参照光の多重方向の角度を調節する多重角度調節工程と、前記光情報記録媒体から再生する信号光を略平行光とする工程と、前記信号光を検出する撮像工程と、前記参照光が前記光情報記録媒体に照射した際に生じる、反射光の影響を低減する反射光低減工程とを備えることを特徴とする光情報再生方法がある。【０１２３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。【０１２４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１２５】
１・・・光情報記録媒体、２・・・ブックケース、３・・・トラック、
４・・・ブック、５・・・管理領域
１０・・・光情報記録再生装置、１１・・・ピックアップ、
１２・・・再生用参照光光学系、１３・・・キュア光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０・・・入出力制御回路、９１・・・外部制御装置、
３０１・・・光源、３０２・・・コリメートレンズ、３０３・・・シャッタ、３０４・・・１／２波長板、３０５・・・偏光ビームスプリッタ、３０６・・・信号光、３０７・・・参照光、
３０８・・・ビームエキスパンダ、３０９・・・フェーズ（位相）マスク、
３１０・・・リレーレンズ、３１１・・・ＰＢＳプリズム、
３１２・・・空間光変調器、３１３・・・リレーレンズ、３１４・・・空間フィルタ、
３１５・・・対物レンズ、３１６・・・偏光方向変換素子、３１７・・・ミラー、
３１８・・・ミラー、３１９・・・ミラー、３２０・・・アクチュエータ、
３２１・・・レンズ、３２２・・・レンズ、３２３・・・アクチュエータ、
３２４・・・ミラー、３２５・・・光検出器、３２６・・・レンズ、３２７・・・遮光フィルタ、
３２８・・・レンズ、３２９・・・ＰＢＳプリズム、３３０・・・光検出器、３３１・・・光検出器、
３３２・・・遮光フィルタ、３３３・・・波長板、３３４・・・偏光分離素子、
３３５・・・アクチュエータ、
４０１・・・光源、４０２・・・コリメートレンズ、４０３・・・シャッタ、４０４・・・光学素子、
４０５・・・ＰＢＳプリズム、４０６・・・信号光、４０７・・・ＰＢＳプリズム、
４０８・・・空間光変調器、４０９・・・アングルフィルタ、４１０・・・対物レンズ、
４１１・・・対物レンズアクチュエータ、
４１２・・・参照光、４１３・・・ミラー、４１４・・・ミラー、４１５・・・レンズ、
４１６・・・ガルバノミラー、４１７・・・アクチュエータ、４１８・・・光検出器、
４１９・・・偏光方向変換素子、４２０・・・駆動方向、４２１・・・光学ブロック
【図１】
2015083246.tif 000003
【図２】
2015083246.tif 000004
【図３】
2015083246.tif 000005
【図４】
2015083246.tif 000006
【図５】
2015083246.tif 000007
【図６】
2015083246.tif 000008
【図７】
2015083246.tif 000009
【図８】
2015083246.tif 000010
【図９】
2015083246.tif 000011
【図１０】
2015083246.tif 000012
【図１１】
2015083246.tif 000013
【図１２】
2015083246.tif 000014
【図１３】
2015083246.tif 000015
【図１４】
2015083246.tif 000016
【図１５】
2015083246.tif 000017
【図１６】
2015083246.tif 000018
【図１７】
2015083246.tif 000019
【図１８】
2015083246.tif 000020
【図１９】
2015083246.tif 000021
【図２０】
2015083246.tif 000022
【国際調査報告】
2015083246.tif 000023
2015083246.tif 000024
2015083246.tif 000025
2015083246.tif 000026